(57)【要約】【課題】台板の長辺に沿って摺動自在とする支持側板を、台板に直立状に支承し、同側板下辺に台板と掛脱可能な鉤金を形設し、同側板を台板上の図書側へ傾けるとき、鉤金を連動して台板との掛合を外し、同側板を摺動可能として図書側へ押圧し、押圧した図書の反力を受ける同側板が直立位に復帰するとき、連動する鉤金を台板へ掛合して同側板と図書とを直立状に支持可能とするブックエンドを実現することを目的とするものである。【解決手段】台板の長辺に沿って摺動自在とする摺動板上に、直立状に支持側板を支承し、同側板下辺部に鉤金を形設し、台板上には、鉤金の動線に沿い、鉤金と掛脱可能とする多数の鉤孔を列設してなり、支持側板及び鉤金を、支承位回りに、鉤金と鉤孔との掛合を離脱する側へ傾動して支持側板を摺動自在とし、また、支持側板が直立位を占めるとき、連動する鉤金は、鉤孔へ掛止して同支持側板を直立位に支持し、台板上の図書を直立状に保持可能としている。【選択図】図６
2010012208.tif 000002
【特許請求の範囲】
【請求項１】
台板の長辺上に遊嵌して摺動自在とする摺動板上に、直立状に支持側板を支承し、該支持側板下辺部に鉤金を形設し、台板上には、鉤金の動線に沿い、鉤金と掛脱可能とする多数の鉤孔を列設してなり、支持側板及び鉤金を、支承位回りに、鉤金と鉤孔との掛合を離脱する側へ傾動して支持側板を摺動自在とし、また、支持側板が直立位を占めるとき、連動する鉤金は、鉤孔へ掛止して同支持側板を直立位に支持し、台板上の図書を直立状に保持可能とすることを特徴とするブックエンド。
【発明の詳細な説明】
【技術分野】
【０００１】  本発明は、図書保管用に用いる付属具としての本立て及びブックエンドに関する。
【背景技術】
【０００２】  従来の、図書を並立して保管する本立てに、左右へのスライド可能な衝立板を付装して、図書の傾倒を防止して支持可能とするものがある（例えば、特許文献１参照。）。また、本立てにおいて、底板後背部の背当板に左右へ摺動可能とした摺動板に垂設した抑え板により、図書の傾倒を阻止して支持可能とするものもある（例えば、特許文献２参照。）。【０００３】  特許文献１の本立ては、底板に設けたレールに滑合する、ガイド片に持設した衝立板を、任意の位置へスライドして図書を支持し、衝立板が左右へスライド可能であって、図書の傾きによる側圧により、ガイド片とレールとの咬合摩擦力を生じてガイド片を咬止し、衝立板の図書支持位置を維持可能としている。【０００４】  特許文献２の本立ては、背当板に形設した上下一対のレールに嵌合した摺動板に垂設した抑え板を、レールと摺動板との嵌合摩擦力に抗して、指先により強制的に摺動し、並立状の図書を、側板と同抑え板との間に挟持し、同摩擦力により抑え板の位置を維持して図書の傾倒を阻止している。【０００５】
【特許文献１】特開平１０−１４６２２６
【特許文献２】実開平５−５８０５０
【発明の開示】
【発明が解決しようとする課題】
【０００６】  特許文献１の本立てにおいては、側板とスライドする衝立板との間に、並立状の図書を挟持し、ガイド片とレールとの咬合摩擦力により、ガイド片に持設した衝立板の位置を維持し、特許文献２の本立ては、背当板に形設したレールと摺動板との嵌合摩擦力により、摺動板に持設した抑え板の位置を維持して図書の傾倒を阻止しており、何れも、並立状の図書を側方より支持するブックエンド相当の機能を有するが、衝立板又は抑え板との間に保持する並立状の図書が、表紙側方への曲げ剛性、版型、寸法、保管冊数などが多岐に亘り、図書の傾きによる側圧の変動が大きく、レールと摺動板など嵌合部における嵌合摩擦力のみに依存する限り、衝立板又は抑え板の図書支持機能が不確実となることが懸念される。【０００７】  本発明は、このような従来の構成が有している課題を解決しようとするものであり、台板上に、並立状の図書側面を支える支持側板（所謂、ブックエンドに相当するが、以下、支持側板と呼称する）を直立状に支承し、台板の長辺に沿って摺動自在とし、同側板下辺に台板と掛脱可能な鉤金を形設し、同側板を台板上の図書側へ傾けるとき、鉤金を連動して台板との掛合を外し、同側板を摺動可能として図書側へ押圧し、押圧した図書の反力を受ける同側板が直立位に復帰するとき、連動する鉤金を台板へ掛合して同側板と図書とを直立状に支持可能とするブックエンドを実現することを目的とするものである。
【課題を解決するための手段】
【０００８】  本発明は、上記目的を達成するために、台板の長辺上に遊嵌して摺動自在とする摺動板上に、直立状に支持側板を支承し、該支持側板下辺部に鉤金を形設し、台板上には、鉤金の動線に沿い、鉤金と掛脱可能とする多数の鉤孔を列設してなり、支持側板の支承位回りに、鉤金と鉤孔との掛合を離脱する側へ、支持側板と鉤金とを傾けて摺動可能とし、また、支持側板が直立位を占めるとき、連動する鉤金を鉤孔へ掛止し、同支持側板を直立位に支持し、台板上の図書を直立状に保持可能としている。【０００９】  上記の課題解決手段よる作用は、支持側板の鉤金を形設しない側面を、台板に並立する図書側へ設定して図書側へ傾倒し、鉤金を連動して台板上の鉤孔との掛合を外し、同支持側板を図書側へ摺動して押圧し、支持側板が図書の押圧反力により直立位へ復帰するとき、連動する鉤金を最寄りの鉤孔へ掛止して支持側板を直立位に支持し、図書を直立状に保持することとしている。【００１０】  上記の課題解決手段は、通常の本立てと同様に、台板を水平面の底板として、底板上に図書を保持する方式に適用し、また、台板の代わりに、通常の本立てと同様に、底板の後背位に垂直面の背当板を立設して、互いに対向する一対の支持側板を、同背当板に直立状に支承し、かつ、同板に沿って摺動自在とした支持側板間に、図書を挟持して保持する方式としても適用することができる。
【発明の効果】
【００１１】  上述したように、本発明のブックエンドは、支持側板の鉤金を付設しない側面を、台板に並立する図書側へ傾倒し、鉤金を連動して台板上の鉤孔との掛止を外し、同支持側板を図書側へ摺動して押圧し、図書を直立状に並立することができる。【００１２】  そして、支持側板を図書側へ摺動して押圧し、図書側の押圧反力により、支持側板が直立位へ変位するとき、連動する鉤金は、台板上の最寄りの鉤孔へ掛合し、支持側板を直立位において停止し、図書を直立状に保持することができる。【００１３】  本発明のブックエンドは、通常の本立てと同様に、台板面を水平位に設定し、支持側板面上に図書を並立して適用することができる。【００１４】  また、台板を、通常の本立ての、背当板部に支承した、互いに対向する一対の支持側板間に、図書を挟持して保持する方式にも適用され、この方式によれば、図書重量の負荷が摺動板へ懸からないため、支持側板による図書の摺動・押圧を円滑に行うことができる。【００１５】  また、通常の本立てに、本発明のブックエンドを組込み使用することができる。
【発明を実施するための最良の形態】
【００１６】以下、本発明の実施形態を図１〜図７に基づいて説明する。【００１７】  図において、台板１の長辺上に遊嵌して摺動可能とした摺動板２上には、回り対偶の固定側の支承金具３と回動側の可動金具３ａとにより、直立状に支持側板４を支承し、該支持側板の下辺部側方へ鉤金４ａを形設し、支持側板４と鉤金４ａとを、直立位より変位角θの間においてｐ，ｑ矢及びｐ′，ｑ′矢方向へ傾倒して摺動可能とし、連動する鉤金４ａの先端部を、台板上の、鉤金の動線に沿い列設した多数の鉤孔５，…，５へ掛脱可能としている。【００１８】  ここに、図３は、本発明のブックエンドの要部詳細の側面図を示し、支持側板４が直立位、即ち仮想線位置９０°より、実線位置へ傾倒するときの変位角θに等しい鉤金４ａの変位角θを、鉤金４ａと鉤孔５との掛脱を可能とする最小変位角度以上に設定して、支承金具３上のストッパー６により規制している。【００１９】  以下、上記構成の動作を説明する。すなわち、支持側板４を台板１上の図書の側方ｐ矢側へ変位角θだけ傾倒するとき、同側板と共に、ｑ矢側へ変位角θだけ連動する鉤金４ａは鉤孔５より離脱し、摺動板２並びに支持側板４を、台板長辺に沿い、摺動自在として、同支持側板により図書を直立位へ押圧可能とし、支持側板がｐ′矢側の直立位へ達するとき、図書の押圧反力により、同支持側板と連動する鉤金４ａを、ｑ′矢側の台板面上へ押圧して最寄りの鉤孔５へ掛合し、鉤金により掛止される同支持側板は、上記、図書の押圧反力を直立位において受け止め、図書を直立状に保持することができる。【００２０】  そして、図４において、支持側板４をｐ矢側へ傾動して鉤金４ａがｑ矢側へ連動し、鉤孔５との掛合より離脱し、互いに対向する一対の支持側板４，４と摺動板２，２とを台板の長辺に沿い摺動自在とし、双方の支持側板間に図書を並立して挟圧可能としている。【００２１】  また、図５及び図６において、図書側よりの押圧反力により互いに対向する一対の支持側板４，４がｐ′矢側へ押戻されるとき、鉤金４ａ，４ａはｑ′矢側へ連動して鉤孔５へ掛止し、双方の支持側板の間に図書を挟持して、支持側板と図書とを直立状に保持可能としている。【００２２】  図７は、本発明のブックエンドを、背当板に適用した実施例を示し、底板１ａの後背部に垂直状の背当板１ｂを、支え座１ｃにより、下辺両端部において持設し、背当板１ｂの長辺に沿って摺動可能とした一対の摺動板２，２に、上記構成と同様に、互いに対向する一対の支持側板４，４を支承しており、双方の支持側板の間に、底板１ａ上に並立した図書を挟持して保持可能としている。
【図面の簡単な説明】
【００２３】
【図１】  本発明の実施形態を示すブックエンドの側方より視る立面図
【図２】  同ブックエンドの平面図
【図３】  図１のＡ部詳細図
【図４】  同ブックエンドのｐ矢，ｑ矢への作動状態を示す斜視図
【図５】  同ブックエンドのｐ′矢，ｑ′矢への作動状態を示す斜視図
【図６】  図５の要部詳細の斜視図
【図７】  同ブックエンドを、背当板側に適用した一実施例を示す斜視図
【符号の説明】
【００２４】１    台板
１ａ  底板
１ｂ  背当板
１ｃ  支え座
２    摺動板
３    支承金具
３ａ  可動金具
４    支持側板
４ａ  鉤金
５    鉤孔
６    ストッパー
ｐ    （押圧方向）
ｐ′  （図書側よりの押圧反力の方向）
ｑ    （鉤金離脱方向）
ｑ′  （鉤金掛合方向）
θ    変位角（支持側板及び鉤金の）
【図１】
2010012208.tif 000003
【図２】
2010012208.tif 000004
【図３】
2010012208.tif 000005
【図４】
2010012208.tif 000006
【図５】
2010012208.tif 000007
【図６】
2010012208.tif 000008
【図７】
2010012208.tif 000009